(57)【要約】      （修正有）【課題】ケース本体の大きさを広げて容量を増大できるエクスパンド機能を備えるスーツケースを提供する。【解決手段】箱形のケース本体は、正面側を形成する正面部材１２ａと、背面側を形成する背面部材１２ｂとを連結してなり、当該連結部分は、正面部材１２ａの縁部１２ｃに沿って帯状部材１５が設けられると共に、背面部材１２ｂの縁部１２ｄに沿って帯状部材１６が設けられる。また、該帯状部材１５、１６の内側は、正面部材１２ａの縁部１２ｃと背面部材１２ｂの縁部１２ｄとを連結する状態でファスナー３０が設けられ、該ファスナー３０の内側は、当該ファスナー３０の幅よりも幅広の連結用布部材３１が正面部材１２ａの縁部１２ｃと背面部材１２ｂの縁部１２ｄとを連結してなる。ファスナー３０を開成すると、連結用布部材３１が表れると共に、正面部材１２ａと背面部材１２ｂとが離隔する構成である。【選択図】図７
0003176684.tif 000002
【実用新案登録請求の範囲】
【請求項１】
箱形のケース本体と、該ケース本体の上部に設けられる延出自在な把手と、前記ケース本体の底部に設けられるキャスターとを少なくとも備えるスーツケースであって、
前記ケース本体は、正面側を形成する正面部材と、背面側を形成する背面部材とを連結してなり、
当該連結部分は、前記正面部材の縁部に沿って帯状部材が設けられると共に、前記背面部材の縁部に沿って帯状部材が設けられ、
該帯状部材の内側は、前記正面部材の縁部と前記背面部材の縁部とを連結する状態でファスナーが設けられ、
該ファスナーの内側は、当該ファスナーの幅よりも幅広の連結用布部材が前記正面部材の縁部と前記背面部材の縁部とを連結して設けられ、
前記ファスナーを開成すると、前記連結用布部材が表れると共に、前記正面部材と前記背面部材とが離隔する構成であること
を特徴とするスーツケース。
【考案の詳細な説明】
【技術分野】
【０００１】
本考案は、スーツケースに関するものであり、更に詳しくは、ケース本体の大きさを広げて容量を増大できるエクスパンド機能を備えるスーツケースに関するものである。
【背景技術】
【０００２】
従来のスーツケースとしては、図１１に示す構成のものが知られている。このスーツケース１は、ケース本体２と蓋体３とが開閉自在に連結されており、このケース本体２及び蓋体３に荷物の収納スペース４、５を備えている。収納スペース４、５の上部には、シート状の中蓋６、７が設けられており、中蓋６、７の端部には、係止具８が取り付けられている（特許文献１参照）。
【０００３】
ケース本体２及び蓋体３の縁部には、フック９が設けられており、このフック９に係止具８を係止するようになっている。係止具８をフック９に係止して、中蓋６、７で収納スペース４、５の上部を覆うことで、蓋体３の開閉時などに当該収納スペース４、５内の荷物がズレ落ちないようになっている。
【先行技術文献】
【特許文献】
【０００４】
【特許文献１】特開２００２−２８０１９号公報
【考案の概要】
【考案が解決しようとする課題】
【０００５】
この従来例のスーツケース１においては、収納スペース４、５の容量は一定であるために、その中に詰め切れない荷物は、別のサブバックなどに収納する必要がある。その場合は、手荷物の数が増えるので厄介であるという欠点を有している。
【０００６】
従って、従来例におけるスーツケース１においては、荷物を収納できる容量を必要に応じて増大できる、エクスパンド機能を付加することに解決しなければならない課題を有している。
【課題を解決するための手段】
【０００７】
前記従来例の課題を解決するための本考案の要旨は、箱形のケース本体と、該ケース本体の上部に設けられる延出自在な把手と、前記ケース本体の底部に設けられるキャスターとを少なくとも備えるスーツケースであって、前記ケース本体は、正面側を形成する正面部材と、背面側を形成する背面部材とを連結してなり、当該連結部分は、前記正面部材の縁部に沿って帯状部材が設けられると共に、前記背面部材の縁部に沿って帯状部材が設けられ、該帯状部材の内側は、前記正面部材の縁部と前記背面部材の縁部とを連結する状態でファスナーが設けられ、該ファスナーの内側は、当該ファスナーの幅よりも幅広の連結用布部材が前記正面部材の縁部と前記背面部材の縁部とを連結して設けられ、前記ファスナーを開成すると、前記連結用布部材が表れると共に、前記正面部材と前記背面部材とが離隔する構成である。
【考案の効果】
【０００８】
本考案に係るスーツケースによれば、ファスナーを開成すると、正面部材と背面部材とを連結する連結用の布部材が表れると共に、当該正面部材と背面部材とが離隔して、その結果、ケース本体が広がって容量が増大する。即ち、荷物を収納できる容量を必要に応じて増大できるエクスパンド機能を備えるという優れた効果を奏する。
【図面の簡単な説明】
【０００９】
【図１】本考案に係るスーツケース１１の正面側の斜視図である。
【図２】本考案に係るスーツケース１１の背面側の斜視図である。
【図３】本考案に係るスーツケース１１の正面図である。
【図４】本考案に係るスーツケース１１の右側面図である。
【図５】本考案に係るスーツケース１１の底面図である。
【図６】本考案に係るスーツケース１１の帯状部材１５、１６の一部を破断して示した左側面図である。
【図７】ファスナー３０を開けてケース本体１２を広げた状態の、帯状部材１５、１６の一部を破断して示した左側面図である。
【図８】ファスナー３０を開けてケース本体１２を広げた状態の斜視図である。
【図９】本考案に係るスーツケース１１の蓋体２０を開けた状態の斜視図である。
【図１０】本考案に係るスーツケース１１の把手１３を上げた状態の斜視図である。
【図１１】従来例に係るスーツケース１の蓋体３を開いた状態の斜視図である。
【考案を実施するための形態】
【００１０】
次に、本考案の実施の形態について図面を参照しながら説明する。まず、図１から図５において、符号１１はスーツケースを示し、このスーツケース１１は、箱形のケース本体１２と、ケース本体１２の上部に設けられる延出自在な把手１３と、ケース本体１２の底部に設けられるキャスター１４とから構成される。
【００１１】
ケース本体１２は、正面側の正面部材１２ａと、背面側の背面部材１２ｂとを連結して構成される（図１及び図４参照）。当該連結部分は、図１、図２、図４、図５に示すように、正面部材１２ａの縁部１２ｃに沿って、柔軟性のある帯状部材１５が設けられている。また、背面部材１２ｂの縁部１２ｄに沿って、柔軟性のある帯状部材１６が設けられている。
【００１２】
帯状部材１５、１６の内側には、図６に示すように、ファスナー３０が当該帯状部材１５、１６に沿って一連に設けられており、このファスナー３０は、正面部材１２ａの縁部１２ｃと、背面部材１２ｂの縁部１２ｄとを連結している。このように帯状部材１５、１６は、その内側に存在するファスナー３０の目隠しとしての役目も有する。
【００１３】
更に、ファスナー３０の内側には、図７に示すように、当該ファスナー３０の幅よりも幅広の連結用布部材３１が一連に設けられている。この連結用布部材３１は、正面部材１２ａの縁部１２ｃと、背面部材１２ｂの縁部１２ｄとを連結している。
【００１４】
このような構成の連結部分は、ファスナー３０を開成すると、連結用布部材３１が表れると共に、正面部材１２ａと背面部材１２ｂとが離隔して、その結果、ケース本体１２が広がって容積を増大できるのである（図７及び図８参照）。
【００１５】
ケース本体１２（正面部材１２ａ）の正面側には、枠部１７が形成されており、枠部１７の内側には、矩形状の開口部１８を有する（図９参照）。
【００１６】
枠部１７の一端部側には、ヒンジ部１９を介して板状の蓋体２０が開閉自在に設けられている。蓋体２０の縁部と枠部１７の縁部とに沿った位置には、ファスナー２１が設けられている。また、ファスナー２１には、一対のスライダー２２、２２がスライド自在に設けられている。
【００１７】
このスライダー２２をスライドしてファスナー２１を閉操作することで、蓋体２０が開口部１８を施蓋する（図１及び図３参照）。また、スライダー２２をスライドしてファスナー２１を開操作することで、蓋体２０を開いて中の荷物の取出しや収納を行うことができる（図９参照）。
【００１８】
なお、図９中の符号２５は収納ポケットを示し、符号２６は収納ポケット２５を開閉するファスナーを示し、符号２７は規制用のベルトを示す。
【００１９】
枠部１７の他端部側には、ロック部材２３が設けられている。ロック部材２３は、スライダー２２、２２を保持してロックが可能な構成であり、ロック時にはロック部材２３を施錠してスライダー２２、２２を固定する。
【００２０】
把手１３は、図２及び図１０に示すように、複数段に引き出すことができるよう延出自在な構成になっており、把手１３を持って移動するときは、適宜に引き出して使用する。
【００２１】
キャスター１４は、図５に示すように、底部に４箇所設けられており、このキャスター１４とブラケット２４とがそれぞれ回転自在に設けられている。
【００２２】
以上のように構成されるスーツケース１１は、図７及び図８に示すように、ファスナー３０を開成すると、正面部材１２ａと背面部材１２ｂとを連結する連結用布部材３１が表れると共に、当該正面部材１２ａと背面部材１２ｂとが離隔して、その結果、ケース本体１２が広がって容量が増大する。即ち、荷物を収納できる容量を必要に応じて増大できるエクスパンド機能を備える。
【符号の説明】
【００２３】
１    スーツケース
２    ケース本体
３    蓋体
４、５  収納スペース
６、７  中蓋
８    係止具
９    フック
１１  スーツケース
１２  ケース本体
１２ａ  正面部材
１２ｂ  背面部材
１２ｃ、１２ｄ  縁部
１３  把手
１４  キャスター
１５、１６  帯状部材
１７  枠部
１８  開口部
１９  ヒンジ部
２０  蓋体
２１  ファスナー
２２  スライダー
２３  ロック部材
２４  ブラケット
２５  収納ポケット
２６  ファスナー
２７  規制用のベルト
３０  ファスナー
３１  連結用布部材
【図１】
0003176684.tif 000003
【図２】
0003176684.tif 000004
【図３】
0003176684.tif 000005
【図４】
0003176684.tif 000006
【図５】
0003176684.tif 000007
【図６】
0003176684.tif 000008
【図７】
0003176684.tif 000009
【図８】
0003176684.tif 000010
【図９】
0003176684.tif 000011
【図１０】
0003176684.tif 000012
【図１１】
0003176684.tif 000013